(57)【要約】      （修正有）【課題】キッチンシンクに固定させる必要がなく、対面式のキッチンに戴置された場合であっても、後方に転倒することのない収納ラックを提供する。【解決手段】キッチンシンク１０３の内側に配置され、左右の端がキッチンシンク１０３の外縁上面に固定されることなく戴置される、洗剤が収納可能な洗剤収納部６と、前方側が洗剤収納部６に接続されると共に洗剤収納部６より後方に設けられ、キッチンシンク１０３後方の外縁上面、又は、キッチンシンク１０３の外縁１０４より後方の水平な面に戴置可能であり、まな板８を収納可能なまな板収納部１０と、まな板収納部１０が後方へ転倒してしまうことを防ぐまな板転倒防止手段と、を備えた。【選択図】図４
2016158657.tif 000002
【特許請求の範囲】
【請求項１】
キッチンに設置可能な収納ラックであって、
キッチンシンクの内側に配置され、左右の端がキッチンシンクの外縁上面に固定されることなく戴置される、洗剤が収納可能な洗剤収納部と、
前方側が前記洗剤収納部に接続されると共に前記洗剤収納部より後方に設けられ、キッチンシンク後方の外縁上面、又は、キッチンシンクの外縁より後方の水平な面に戴置可能であり、まな板を収納可能なまな板収納部と、
前記まな板収納部が後方へ転倒してしまうことを防ぐまな板転倒防止手段と、を備えたことを特徴とする収納ラック。
【請求項２】
前記まな板転倒防止手段は、少なくとも一部が前記まな板収納部から後方に延出して形成されることでキッチンシンクの外縁より後方の水平な面に当接する支持部であることを特徴とする請求項１に記載の収納ラック。  
【請求項３】
前記まな板収納部は、前記洗剤収納部に対して着脱自在に接続されていることを特徴とする請求項２に記載の収納ラック。  
【発明の詳細な説明】
【技術分野】
【０００１】
本発明の態様は、キッチンに設置される収納ラックに関する。
【背景技術】
【０００２】
従来、キッチンに設置され、洗剤が収納可能な洗剤収納部を備えた収納ラックが知られている。
【０００３】
特許文献１では、キッチンシンクの内側に配置され、左右の端がキッチンシンクの外縁上面に固定される、洗剤が収納可能な洗剤収納部と、前方側が洗剤収納部に接続されると共に洗剤収納部より後方に設けられ、かつ、キッチンシンク後方の外縁上面に戴置される、まな板が収納可能なまな板収納部と、を備えた収納ラックについて記載されている。
【先行技術文献】
【特許文献】
【０００４】
【特許文献１】特開２００３−３５４３号公報
【発明の概要】
【発明が解決しようとする課題】
【０００５】
特許文献１に記載された収納ラックにおいては、収納ラックをキッチンシンクに固定させるため、キッチンシンクに、洗剤収納部の左右の端に設けられた係止孔へ係止される係止凸部を設ける必要がある。この係止凸部はキッチンシンクから突出して形成されているため、キッチンシンクを清掃する際に、突出した係止凸部が邪魔となり、キッチンシンクの清掃性が悪い、という問題がある。また、キッチンシンクと係止凸部とによって入り隅が形成されてしまい、この入り隅に水が溜まることで黴が発生してしまう、という問題がある。
【０００６】
上述した問題が発生することを防ぐためには、係止凸部を無くし、洗剤収納部をキッチンシンクに対して固定させずに戴置するという方法が考えられる。ところが、このようにして載置させた洗剤収納部にまな板収納部を接続した場合、キッチンシンクの後方に壁が存在していれば、収納されたまな板の上方側に不意にキッチンシンク前方に立つ使用者の手などが当たり、まな板に外力が加わったとしても、まな板が収納ラックと共に後方へ転倒する恐れはない。しかし、キッチンシンクの後方に壁が存在しないタイプのキッチン、即ち対面式のキッチンにおいて、上記のようにまな板に外力が加わってしまうと、まな板が収納ラックと共に転倒してしまう、という問題がある。
【０００７】
本発明は、かかる課題の認識に基づいてなされたものであり、キッチンシンクの清掃性を向上させつつ、対面式のキッチンにおいても、後方に転倒することを防止できる、洗剤収納部とまな板収納部を有する収納ラックを提供することを目的とする。
【課題を解決するための手段】
【０００８】
第１の発明は、キッチンに設置可能な収納ラックであって、キッチンシンクの内側に配置され、左右の端がキッチンシンクの外縁上面に固定されることなく戴置される、洗剤が収納可能な洗剤収納部と、前方側が前記洗剤収納部に接続されると共に前記洗剤収納部より後方に設けられ、キッチンシンク後方の外縁上面、又は、キッチンシンクの外縁より後方の水平な面に戴置可能であり、まな板を収納可能なまな板収納部と、前記まな板収納部が後方へ転倒してしまうことを防ぐまな板転倒防止手段と、を備えたことを特徴とする収納ラックである。
この収納ラックによれば、まな板収納部が後方へ転倒してしまうことを防ぐまな板転倒防止手段を備えたことにより、まな板収納部にまな板を保持させた際にまな板に外力が加わっても、まな板転倒防止手段によってまな板収納部が後方へ転倒してしまうことを防ぐことができる。したがって、収納ラックをキッチンシンクに固定させる必要がなく、対面式のキッチンに収納ラックが戴置された場合であっても、収納ラックが後方に転倒することがない。
【０００９】
第２の発明は、第１の発明において、前記まな板転倒防止手段は、少なくとも一部が前記まな板収納部から後方に延出して形成されることでキッチンシンクの外縁より後方の水平な面に当接する支持部であることを特徴とする収納ラックである。
この収納ラックによれば、まな板転倒防止手段は、少なくとも一部がまな板収納部から後方に延出して形成されることでキッチンシンクの外縁より後方の水平な面に当接する支持部である。このことより、まな板に外力が加わった際に、まな板収納部から後方に延出された支持部がキッチンシンクの外縁より後方の水平な面に当接することでまな板収納部を支持するため、まな板収納部から後方に延出された支持部を設けるという簡単な構造で、まな板が収納されたまな板収納部の転倒を防止することができる。
【００１０】
第３の発明は、第２の発明において、前記まな板収納部は、前記洗剤収納部に対して着脱自在に接続されていることを特徴とする収納ラックである。
この収納ラックによれば、まな板収納部は、洗剤収納部に対して着脱自在に接続されているため、キッチンシンクの後方に壁が存在することで支持部が後方へ延出したまな板収納部を備えた洗剤ラックが設置できないキッチンにも、このまな板収納部を支持部が備えられていないまな板収納部に取り替えることで設置可能とすることができる。よって、収納ラック全体を取り替えずとも、まな板収納部を取り替えるだけで、キッチンシンクの後方に壁が存在しないタイプ及びキッチンシンクの後方に壁が存在するタイプの両方のキッチンに設置することができる。
【発明の効果】
【００１１】
本発明の態様によれば、キッチンシンクの清掃性を向上させつつ、対面式のキッチンにおいても、後方に転倒することを防止できる、洗剤収納部とまな板収納部を有する収納ラックが提供される。
【図面の簡単な説明】
【００１２】
【図１】本発明の一実施形態に係る収納ラックが設置されたキッチンを示す模式的斜視図である。
【図２】図１における収納ラックにまな板が収納されたときのキッチンを示す模式的斜視図である。
【図３】図１の収納ラックが設置されたキッチンを示す模式的断面図である。
【図４】図３の収納ラックにまな板が収納されたときのキッチンを示す模式的断面図である。
【図５】図１の収納ラックを示す模式的斜視図である。
【図６】図５の収納ラックを示す模式的分解図である。
【図７】他のまな板収納部を取り付けた本発明の一実施形態に係る洗剤収納部を示す模式的側面図である。
【発明を実施するための形態】
【００１３】
以下、本発明の実施の形態について図面を参照しつつ説明する。なお、各図面中、同様の構成要素には同一の符号を付して詳細な説明は適宜省略する。  
【００１４】
図１は、本発明の一実施形態に係る収納ラックが設置されたキッチンを示す模式的斜視図である。
図２は、図１における収納ラックにまな板が収納されたときのキッチンを示す模式的斜視図である。
図３は、図１の収納ラックが設置されたキッチンを示す模式的断面図である。
図４は、図３の収納ラックにまな板が収納されたときのキッチンを示す模式的断面図である。
図１〜４を用いて、本発明の一実施形態におけるキッチン１００に設置された収納ラック１について説明する。
【００１５】
図１及び２に示すように、キッチン１００は、キッチン本体１０１と、キッチン本体１０１の上面に設けられたカウンター１０２と、カウンターに設置されたキッチンシンク１０３と、を備える。キッチンシンク１０３の外縁１０４の上面は、カウンター１０２と繋がっている。なお、本発明において、この外縁１０４の上面は、キッチンシンク１０３の縦壁面１０７の上端である１０４だけでなく、一部カウンター１０２と同じ平面上に形成されたシンク部分や、スパウトなど水栓装置（図示せず）が設置される１０５も、含まれるものとする。
【００１６】
キッチン１００には、例えば金属製の収納ラック１が設置されている。この収納ラック１は、洗剤が収納可能な洗剤収納部６と、まな板８を収納可能なまな板収納部１０と、まな板収納部１０が後方へ転倒してしまうことを防ぐまな板転倒防止手段である支持部１２と、を備える。洗剤収納部６は、キッチンシンク１０３の内側に配置され、左右の端部２、４がキッチンシンク１０３の外縁１０４の上面に固定されることなく戴置されている。まな板収納部１０は、前方側が洗剤収納部６に接続されると共に洗剤収納部６より後方に設けられる。また、まな板収納部１０は、キッチンシンク１０３の外縁１０４より後方の水平な面であるカウンター１０２に戴置されている。
【００１７】
図３及び４に示すように、まな板収納部１０は、前方部２４及び背部２６を有する。まな板転倒防止手段である支持部１２は、まな板収納部１０から後方に延出して形成されており、キッチンシンク１０３の外縁１０４より後方の水平な面であるカウンター１０２に当接している。この状態において、例えば使用者がまな板８をまな板収納部１０から取り出す際に、まな板８を後方へ動かす外力Ｆが収納ラック１に加わったときにも、支持部１２がカウンター１０２から垂直抗力Ｎを受けることで、外力による荷重を支持することができる。
このように、まな板８に外力が加わった際に、まな板収納部１０から後方に延出された支持部１２がキッチンシンク１０３の外縁１０４より後方の水平な面であるカウンター１０２に当接することでまな板収納部１０を支持するため、まな板収納部１０から後方に延出された支持部１２を設けるという簡単な構造で、まな板８が収納されたまな板収納部１０の転倒を防止することができる。
【００１８】
この支持部１２は、まな板保持部の前方部２４から、水平方向に向かって延出されて形成されている。このような構成とすることによって、支持部１２がカウンター１０２と当接する面積を増やすことができ、カウンター１０２から受ける垂直抗力Ｎを分散することができる。
【００１９】
図５は、図１の収納ラックを示す模式的斜視図である。
図６は、図５の収納ラックを示す模式的分解図である。
図７は、他のまな板収納部を取り付けた本発明の一実施形態に係る洗剤収納部を示す模式的側面図である。
図５〜７を用いて、本発明の一実施形態における収納ラック１のその他の特徴について説明する。
【００２０】
図５及び６に示すように、収納ラック１は、例えば金属製の針金状の部材によって構成されている。このように構成されることによって、収納ラック１の上方から浸入した水を、そのまま収納ラック１の下方に配置されているキッチンシンク１０３内へ排出することができる。まな板収納部１０は、背部２６及び前方部２４をそれぞれ繋ぐまな板当接部２８を有する。このまな板当接部２８の上方からまな板８を設置することで、まな板８をキッチンシンク１０３の外縁１０４及びカウンター１０２より上方に配置させる。また、まな板当接部２８の前方部分は、キッチンシンク１０３内へはみ出るように配置されているため、まな板８から垂れてきた水がまな板当接部２８に移動し、まな板当接部２８から下方へ落ちた際に、この水をキッチンシンク１０３内へ排出することができる。よって、カウンター１０２上に水滴が溜まることを抑制できる。
【００２１】
洗剤収納部６は、洗剤保持部１４及びスポンジ保持部１６を有する。キッチン１００の正面からみて、洗剤保持部１４はスポンジ保持部１６の右側もしくは左側に配置されている。洗剤保持部１４は、一般的にスポンジより高さのある洗剤を保持するために、スポンジ保持部１６より深い収納空間となるように形成されている。このように、洗剤保持部１４とスポンジ保持部１６との間に段差が形成されることにより、洗剤保持部１４に保持された洗剤が、スポンジ保持部１６側へ転倒してしまうことを抑制できる。
【００２２】
まな板収納部１０は、洗剤収納部６の取付横棒部１８に引っ掛けることができるように、引っ掛け部２０を２つ有する。このまな板収納部１０の引っ掛け部２０と、取付縦棒部２２との間に、取付横棒部１８を下方から挟み込むことで、まな板収納部１０と洗剤収納部６とを着脱自在に接続している。
【００２３】
図７に示すように、まな板収納部１０と洗剤収納部６とは着脱自在に接続されているため、洗剤収納部６と接続されるまな板収納部１０を取り外し、例えば支持部１２を有しないまな板収納部１０Ａに付け替えることができる。このように、まな板収納部１０は、洗剤収納部６に対して着脱自在に接続されているため、キッチンシンク１０３Ａの後方に壁部１０６が存在することで支持部１２が後方へ延出したまな板収納部１０を備えた洗剤ラック１が設置できないキッチン１００Ａにも、このまな板収納部１０を支持部１２が備えられていないまな板収納部１０Ａへ取り替えることで、設置可能とすることができる。  
【００２４】
以上のことより、本発明の一実施形態によれば、まな板収納部１０が後方へ転倒してしまうことを防ぐまな板転倒防止手段である支持部１２を備えたことにより、まな板収納部１０にまな板８を保持させた際にまな板８に外力が加わっても、支持部１２によってまな板収納部１０が後方へ転倒してしまうことを防ぐことができる。したがって、収納ラック１をキッチンシンク１０３に固定させる必要がなく、対面式のキッチン１００に収納ラック１が戴置された場合であっても、収納ラック１が後方に転倒することがない。
【００２５】
以上、本発明の一実施形態について説明した。しかし、本発明はこれらの記述に限定されるものではない。
【００２６】
本発明の一実施形態において、まな板転倒防止手段は、まな板収納部１０の後方から延出して形成された支持部１２であったが、本発明はそれに限らない。例えば、支持部１２が延出していないまな板収納部におけるキッチンシンク１０３の外縁１０４の上面に接触している下方部分にゴムなどによる滑り止めを設けることで、まな板の転倒を防止する手段も含まれる。
【００２７】
本発明の一実施形態において、支持部１２は、まな板収納部１０の後方から延出して形成されたものであったが、それに限らず、例えば、まな板収納部１０の側方から延出し、まな板収納部１０の後方へ向かって曲がるように形成されたものであっても良い。また、
【００２８】
本発明の一実施形態において、前方部２４及び背部２６は、前方に向かって傾斜させる構成としても良い。このような構成とすることによって、まな板８がまな板収納部１０の後方へより倒れにくくすることができる。
【００２９】
前述の実施の形態に関して、当業者が適宜設計変更を加えたものも、本発明の特徴を備えている限り、本発明の範囲に包含される。例えば、収納ラック１やキッチン１００などが備える各要素の形状、寸法、材質、配置などや、収納ラック１やキッチン１００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３０】
１ 収納ラック
２、４ 端部 
６ 洗剤収納部
８ まな板
１０、１０Ａ まな板収納部
１２ 支持部
１４ 洗剤保持部
１６ スポンジ保持部
１８ 取付横棒部
２０ 引っ掛け部
２２ 取付縦棒部
２４ 前方部
２６ 背部
２８ まな板当接部
１００、１００Ａ キッチン
１０１ キッチン本体
１０２ カウンター
１０３、１０３Ａキッチンシンク
１０４ 外縁
１０５ 外縁の上面
１０６ 壁部
１０７ 縦壁面
【図１】
2016158657.tif 000003
【図２】
2016158657.tif 000004
【図３】
2016158657.tif 000005
【図４】
2016158657.tif 000006
【図５】
2016158657.tif 000007
【図６】
2016158657.tif 000008
【図７】
2016158657.tif 000009